(57)【要約】【課題】係合部の係脱を把手の引出し作用と同期して確実に行うことができるとともに、引出しを引き出す際に、把手に対し偏心した力が加わった場合でも、ラッチの作動機構が長寸化、複雑化することなく円滑にラッチを作動させることができる引出しのラッチ作動機構を提供する。【解決手段】  引出し２の把手５を左右広幅の手掛け部６とその左右両側から正面板３に対して摺動可能とした一対の摺動部７を備えるものとし、ラッチ作動機構を、正面視凹字状をなし左右の上向片１１が摺動部７から後方に延びる延長部２７に連結され、上向片１１の下部同士を連結する水平片１４が係合部４９よりも下方の位置に配置され、その左右において軸部２５に傾動自在に軸着された第一の作動体１０と、左右の上向片１１に連結する左右側端部１６と上面視コ字状のスライド軸と軸着した水平部１７からなる第二の作動体１５とで構成した。【選択図】図４
2007218050.tif 000002
【特許請求の範囲】
【請求項１】
引出しの正面板の前面に設けたラッチ操作用の把手と、該把手の操作と連動して前後摺動するスライド軸と、該スライド軸と連動してスライド軸と直行する方向に摺動する係合部と該係合部と係脱する筐体側の被係合部とを備えたラッチ装置と、を有する引出しのラッチ作動機構において、
前記把手を、前記正面板の前方に突出する左右広幅の手掛け部と、該手掛け部の左右両側から後方に各々延設され、前記正面板に対して前後摺動可能とした一対の摺動部を備えるものとし、前記把手により前記スライド軸を作動させる作動手段を、正面視凹字状をなし、左右の上向片が、前記正面板の前面側から挿入された前記一対の摺動部から後方に延びる延長部に連結され、前記左右の上向片の下部同士を連結する水平片が、前記係合部よりも下方の位置に配置され、その左右において、前記正面板の後面から後方に突出した軸部に傾動自在に軸着された第一の作動体と、前記左右の上向片にそれぞれ連結した左右側端部と、該左右側端部と一体に構成した上面視コ字状の前記スライド軸と軸着した水平部からなる第二の作動体とで構成したことを特徴とする引出しのラッチ作動機構。
【請求項２】
前記上面視コ字状の水平部が、前記正面板の後面に開口された長孔の内壁に前後に移動可能に案内されている請求項１に記載の引出しのラッチ作動機構。
【請求項３】
前記第一の作動体の水平片の上方の空間に、前記係合部が収納された箱体を位置させた請求項１または２に記載の引出しのラッチ作動機構。
【請求項４】
前記両作動体を板状とした請求項１乃至３のいずれかに記載の引出しのラッチ作動機構。
【請求項５】
前記第一の作動体の傾動時に弾性変形可能な弾性体を前記軸部に設けた請求項１乃至４のいずれかに記載の引出しのラッチ作動機構。
【発明の詳細な説明】
【技術分野】
【０００１】
本発明は、引出しの正面板の前面に設けたラッチ操作用の把手と、該把手の操作と連動して前後摺動するスライド軸と、該スライド軸と連動してスライド軸と直行する方向に摺動する係合部と該係合部と係脱する筐体側の被係合部とを備えたラッチ装置と、を有する引出しのラッチ作動機構に関する。
【背景技術】
【０００２】
引出しの正面板側に設けたラッチ操作用の把手と、該把手の操作と連動して上下方向に摺動する係合部とこの係合部と係脱する筐体側の被係合部とを備えたラッチ装置を有する従来の引出しは、引出しを引き出す場合に、ラッチ操作用の把手を先ず指先で操作して係合部を被係合部から離脱させ、その離脱状体を保持した状態で引出しを手前側に引き出すように構成したものが知られている（特許文献１）。しかしながらこの従来の引出しは、指先でラッチ操作用の把手を操作した後に引き出さなければならず、引出し操作が２段操作となり使い勝手が悪かった。そこで、単に引き出す操作だけでラッチを解除できる機構も開発されている（特許文献２）。この機構は把手を持って引き出せばクランク軸が回動し、このクランク軸の回動によってラッチ軸を作動し引出しの側方に設けたラッチが駆動されるので、引出操作だけで自動的にラッチが解除され便利である。
【０００３】
【特許文献１】特開平０９−１５８５８２号公報（段落００２８、図３，４）
【特許文献２】特開平２００５−１６２２３号公報（段落００３２、００３３、図３）
【発明の開示】
【発明が解決しようとする課題】
【０００４】
しかしながら、特許文献２においては、左右広幅の手掛け部の左右両側に後方に各々延設された一対の摺動部を備えているため、把手に対し偏心した力が加わった場合、一対の摺動部が同期して移動せず、クランク軸に捻れが生じるおそれがあるので、クランク軸が正常に回転するように、変位阻止部材としての棒受け部材をクランク軸の長手方向に渡って設ける必要があり、ラッチの作動機構の長寸化、複雑化が避けられたかった。
【０００５】
本発明は、このような問題点に着目してなされたもので、係合部の係脱を把手の引出し作用と同期して確実に行うことができるとともに、引出しを引き出す際に、把手に対し偏心した力が加わった場合でも、ラッチの作動機構が長寸化、複雑化することなく円滑にラッチを作動させることができる引出しのラッチ作動機構を提供することを目的とする。
【課題を解決するための手段】
【０００６】
上記課題を解決するために、本発明の請求項１に記載の引出しのラッチ作動機構は、引出しの正面板の前面に設けたラッチ操作用の把手と、該把手の操作と連動して前後摺動するスライド軸と、該スライド軸と連動してスライド軸と直行する方向に摺動する係合部と該係合部と係脱する筐体側の被係合部とを備えたラッチ装置と、を有する引出しのラッチ作動機構において、前記把手を、前記正面板の前方に突出する左右広幅の手掛け部と、該手掛け部の左右両側から後方に各々延設され、前記正面板に対して前後摺動可能とした一対の摺動部を備えるものとし、前記把手により前記スライド軸を作動させる作動手段を、正面視凹字状をなし、左右の上向片が、前記正面板の前面側から挿入された前記一対の摺動部から後方に延びる延長部に連結され、前記左右の上向片の下部同士を連結する水平片が、前記係合部よりも下方の位置に配置され、その左右において、前記正面板の後面から後方に突出した軸部に傾動自在に軸着された第一の作動体と、前記左右の上向片にそれぞれ連結した左右側端部と、該左右側端部と一体に構成した上面視コ字状の前記スライド軸と軸着した水平部からなる第二の作動体とで構成したことを特徴としている。
この特徴によれば、把手に対し偏心した力が加わった場合でも、把手の左右の後方延長部に連結した上向片が水平片で連結され、且つこの水平片が正面板の後面において左右が傾動自在に軸着されているので、左右の上向片は同期的に動くことができ、その左右の上向片に軸着された第二の作動体も左右において同期的に動くようになり、係合部がスライド軸を介して確実かつ円滑に作動することができる。また、係合部の作動機構であるラッチ作動機構が主として正面板の後方に配設した第一及び第二の作動体を組み合わせたもので構成されており、ラッチ作動機構が長寸化、複雑化することがない。
【０００７】
本発明の請求項２に記載の引出しのラッチ作動機構は、請求項１に記載の引出しのラッチ作動機構であって、前記上面視コ字状の水平部が、前記正面板の後面に開口された長孔の内壁に前後に移動可能に案内されていることを特徴としている。
この特徴によれば、上面視コ字状の水平部が正面板の後面に開口された長孔の内壁に案内されて移動できるので、第二の作動体の移動が安定し、把手の操作によって係合部が確実に作動する。
【０００８】
本発明の請求項３に記載の引出しのラッチ作動機構は、請求項１または２に記載の引出しのラッチ作動機構であって、前記第一の作動体の水平片の上方の空間に、前記係合部が収納された箱体を位置させたことを特徴としている。
この特徴によれば、第一の作動体の水平片の上方の空間に、係合部が収納された箱体を位置させることで、正面板の後方の上下方向の空間を有効利用することができる。
【０００９】
本発明の請求項４に記載の引出しのラッチ作動機構は、請求項１乃至３のいずれかに記載の引出しのラッチ作動機構であって、前記両作動体を板状としたことを特徴としている。
この特徴によれば、両作動体を板状としたことで、把手によりスライド軸を作動させるラッチ作動機構の前後方向の厚みを薄く構成でき、正面板の後方に幅のある空間を作動手段のために設ける必要が無くなる。
【００１０】
本発明の請求項５に記載の引出しのラッチ作動機構は、請求項１乃至４のいずれかに記載の引出しのラッチ作動機構であって、前記第一の作動体の傾動時に弾性変形可能な弾性体を前記軸部に設けたことを特徴としている。
この特徴によれば、引出しを収納したときに、弾性体により係合部が元の係合可能な位置に円滑に戻るように第一の作動体を作動させることができる。
【発明を実施するための最良の形態】
【００１１】
本発明の実施例を以下に説明する。
【実施例】
【００１２】
図１は、本発明の実施例における棚板および引出しにラッチ装置が適用された筐体の全体像を示す斜視図であり、図２は、引出しの正面板の中央部を示す背面側から見た分解組立斜視図であり、図３は、第一および第二の作動体と固定板と係合部材の取り付けを示す正面側から見た分解組立斜視図であり、図４は、把手およびカバーケースの取り付けを示す背面側から見た分解組立図であり、図５は、引出しの正面板の中央部を示す一部破断平面図であり、図６（ａ）は、図５のＡ−Ａ断面線を示す要部拡大側断面図であり、図６（ｂ）は、図６（ａ）の把手の操作による第一および第二の作動体の作動状態を示す要部拡大側断面図であり、図７（ａ）は、図５のＢ−Ｂ断面線を示す要部拡大側断面図であり、図７（ｂ）は、図７（ａ）の把手の操作によってラッチ装置のロックの解除を示す要部拡大側断面図である。
【００１３】
図１に示されるように、筐体１には引出し２が上下３段で設けられ、それぞれの引出し２が筐体内部を区画する枠体４内に個々に収納されている。引出し２の前面には正面板３を有し、この正面板３の略中央位置には、把手５が正面板３から前方に突出して設けられている。以下、本実施例の説明において、図１に図示された筐体１を対面した状態で見て、引出し２の引出し側を前方とし、筐体１の背面側を後方とし、左手側面側を左方、右手側面側を右方として説明する。
【００１４】
正面板３の背面の左右略中央位置には上方に向けて突設した係合部に相当する係合突体４９が設けられ、この係合突体４９と、枠体４の左右中央位置に下方に向けて突設した被係合部に相当する係止突体９２とでラッチ装置３０が構成されており、引出し２の収納時に係止突体９２に係合突体４９が係合されることで引出し２の前方移動が規制され、係合突体４９の係合解除は把手５の操作により行われるが、ラッチ装置３０の作動機構については後述において説明する。
【００１５】
図２に示されるように、把手５には前方に突出する左右広幅の手掛け部６と、この手掛け部６の両端から後方に向けて各々延設される摺動部７，７とから構成され、摺動部７，７の後面には前方を向くボルト螺合穴７ａ，７ａが形成されている。この摺動部７，７に対応して合成樹脂材から成型された軸受ブッシュ９，９が設けられており、内部には摺動部７，７を摺動可能な摺動孔９ａ，９ａが形成されるとともに、後部に係止爪９ｂ，９ｂが設けられている。
【００１６】
正面板３の後面の中央位置上部には、左右の長さ方向に向けて長孔３ｂが開口され、長孔３ｂの左右両端部に近接して、軸受ブッシュ９，９を取付可能なブッシュ取付孔３ａ，３ａが前後方向に向けて貫通されている。長孔３ｂ周りには３箇所の固定板取付ネジ穴３ｄが形成され、ブッシュ取付孔３ａ，３ａの下方に離間された位置には軸ネジ螺合穴３ｅ，３ｅが形成され、さらに左右方向に離間された位置にはケース取付用ネジ螺合穴３ｃ，３ｃが形成されている。
【００１７】
次いで、図２に示されるように、金属板金で成形された板状の第一の作動体１０の形状は、左右に上向片１１，１１と、この上向き片１１，１１の下部を連結する水平片１４とからなる正面視凹字状に成形され、上向片１１，１１の上部に延長部に相当する上部軸ボルト２７，２７を挿通可能なボルト貫通孔１２，１２が形成され、下部に軸部に相当する下部軸ネジ２５を挿通可能なネジ貫通孔１３，１３が形成されている。第一の作動体１０の下端部１４ａは前方に向けてＬ字状に折り曲げられている。ボルト貫通孔１２，１２の前面には弾性を有するウレタンやゴム等で成型された上部軸ボルト２７，２７が挿通する上部筒状弾性体２８，２８が配設され、同様にネジ貫通孔１３，１３の前面と正面板３の間には下部軸ネジ２５が挿通する下部筒状弾性体２６，２６が配設されている。
【００１８】
金属板金で成形された板状の第二の作動体１５は、上面視で前方に向けてコ字状に折り曲げられた水平部１７と、この水平部１７左右両部に設けた側端部１６，１６とを備え、左右広幅に成形されている。水平部１７の中央位置にはネジ杆６３を螺合可能なネジ螺合穴１７ａが形成され、側端部１６，１６には上部軸ボルト２７，２７が挿通可能なボルト貫通孔１６ａ，１６ａが形成されている。
【００１９】
図２，３に示すように、金属板金で成形された板状の固定板２０の左右位置に上方を向く凹溝２１，２１が形成され、さらにその左右両端位置に側端片２２，２２が形成されている。側端片２２，２２には上部軸ボルト２７，２７を挿通可能なボルト貫通孔２２ａ，２２ａが形成されている。凹溝２１，２１近傍と中央下部にはネジ貫通孔２０ａ，２０ａ，２０ａが形成され、正面板３への取り付け時に使用される。固定板２０の中央上部位置には嵌合孔２０ｄ（図３参照）が形成され、嵌合孔２０ｄの周囲に上下左右４箇所にネジ穴２０ｂが形成されている。
【００２０】
ロック装置３３は矩形の前面が開口する箱体３４と開口を閉塞嵌合する閉塞板７８とで覆われ、箱体３４の上部から上方に向けて係合突体４９が突設され、閉塞板７８の略中央位置から前方に向けて環状突体８２が突設されている。環状突体８２にはネジ杆６３を挿通可能なネジ杆摺動孔８２ａが形成されている。箱体３４の四隅には取付孔３４ａが各々形成され、４本のネジ２４が後方より取付孔３４ａを介して４箇所のネジ穴２０ｂに螺合されることで、ロック装置３３が箱体３４内に収納されるとともに、嵌合孔２０ｄに環状突体８２が嵌合し前方に向けて突設される。
【００２１】
次いで、固定板２０の凹溝２１，２１に向けて第二の作動体１５を嵌め込むことで、特に嵌合過程は図示しないが、固定板２０の前方に水平部１７、側端片２２，２２の後方に側端部１６，１６が配置される。そこで、側端片２２，２２と側端部１６，１６の間隙に第一の作動体１０の上向片１１，１１を挿し入れるとともに、さらに、この上向片１１，１１と側端片２２，２２の間に上部筒状弾性体２８，２８を配置し、後方から前方に向けて左右一対のボルト貫通孔１６ａ，１６ａ、ボルト貫通孔１２，１２、上部筒状弾性体２８，２８、ボルト貫通孔２２ａ，２２ａの順にそれぞれ重ね合わせたうえで、左右一対の上部軸ボルト２７，２７を挿通させ、把手５のボルト螺合穴７ａに螺合させる。
【００２２】
次いで、左右一対の下部軸ネジ２５，２５を第一の作動体１０の各々対応するネジ貫通孔１３に向けて挿通したのち、下部筒状弾性体２６に挿通し軸ネジ螺合穴３ｅに螺合させる。そして、ネジ杆６３を箱体３４の後部に形成された挿通孔３７から前方のネジ杆摺動孔８２ａに向けて挿通することで、固定板２０の嵌合孔２０ｄを介して第二の作動体１５のネジ螺合穴１７ａに螺着する。
【００２３】
さらに、図２に示されるように、３本の固定ネジ２３を固定板２０のそれぞれ対応する各ネジ貫通孔２０ａを介して３箇所の固定板取付ネジ穴３ｄに螺着して、固定板を２０を正面板３の背面に固定する。このとき、前方に向けて突設する第二の作動体１５の水平部１７が、正面板３の長孔３ｂに対して前後に移動可能に支持される。正面板３の前面には軸受ブッシュ９，９が前方からブッシュ取付孔３ａ，３ａに向けて挿し込み、係合爪９ｂを正面板３の背面に形設した係合孔に係止させて取り付けられ、この軸受ブッシュ９，９の摺動孔９ａ，９ａ内に把持５の摺動部７、７が摺動案内される。
【００２４】
そして、図４および図５に示されるように、把手５の摺動部７，７を軸受ブッシュ９，９の摺動孔９ａ，９ａに向けて摺動可能に挿嵌したのち、上部軸ボルト２７，２７がボルト螺合穴７ａ，７ａに向けて螺合されると、第一の作動体１０の上向片１１，１１の上部および第二の作動体１５の側端部１６，１６と上部筒状弾性体２８，２８が正面板３から後方に向けて延在する上部軸ボルト２７，２７に保持されるとともに、正面板３から後方に向けて延在する下部軸ネジ２５，２５に、上向片１１，１１の下部となる水平片１７の左右端部と下部筒状弾性体２６，２６が保持される。箱体３４の固定板２０への取り付け位置は、第一の作動体１０の水平片１４の上方かつ左右の上向片１１，１１の間に形成された空間にあり、正面板３の後方の空間が無駄なく利用され、ロック装置３３の後方への大幅な突設が避けられ省スペース化が図られている。
【００２５】
さらに、前方に開口する箱形のカバーケース３１がケース取付ネジ３２，３２によって、ネジ貫通孔３１ｂ，３１ｂを介してケース取付ネジ螺合穴３ｃ，３ｃに螺合され取り付けられることで、固定板２０，第一の作動体１０，第二の作動体１５，箱体３４が外部から遮蔽および保護される。カバーケース３１の上部中央位置には、係合突体４９を上方に向けて挿通可能な開口３１ａが形成されており、カバーケース３１の取り付け時に係合突体４９との抵触が避けられる。
【００２６】
図６（ａ）に示されるように、係止突体９２を備えた取付板９１は一対のネジ９４，９４を一対のネジ孔９１ａ，９１ａに螺着することで枠体４の下面に固定されている。この係止突体９２の後面は、ロック装置３３から突設される係合突体４９とロック時に係合され、引出し２の前方への移動が規制されている。
【００２７】
図６（ｂ）に示されるように、手掛け部６から把手５を前方に向けて操作すると、摺動部７が摺動孔９ａに沿って案内され、上部軸ボルト２７も同時に前方に向けて移動されるとともに、第二の作動体１５の両側端部１６が上部軸ボルト２７のボルト頭２７ｂによって前方に引き出されていくとともに、この両側端部１６に同期して第一の作動体１０の上向片１１、１１の上部も前方に引き出される。この引き出しにより、上部筒状弾性体２８が、徐々に圧縮され弾性変形されるとともに、下部筒状弾性体２６も弾性変形するが、下部筒状弾性体２６はあまり弾性変形されずに、第一の作動体１０は下部軸ネジ２５側を中心として斜め前方に向けて傾動される。
【００２８】
そして、第一の作動体１０の傾動とともに、第二の作動体１５が前方に向けて移動されることで、係合突体４９が下方に移動し係止突体９２との係合が解除され、引出し２を前方に引き出し可能な状態となる。把手５の前方への引出し操作を緩める若しくは手掛け部６から手を離間すると、上部筒状弾性体２８および下部筒状弾性体２６の付勢力により、第一の作動体１０および第二の作動体１５が後方に向けて作動され、係合突体４９が元の係合可能な位置まで戻される。
【００２９】
次に、ロック装置３３の構造及び作動について説明するが、これに関しては、例えば、特許第２７６１２０１号「扉のロック装置」に示されるような公知のものであり、詳細についての説明は省略する。図７（ａ）に示されるように、閉塞板７８で閉塞された箱体３４のスライダ収容凹部３５内には、上下方向に摺動可能なスライダ４６が収容され、この上面に上方に向けて突設される係合突体４９が形成されている。スライダ４６の下部と箱体３４との間にはスプリング５６が介在されており、スプリング５６の付勢力によってスライダ４６が通常上方に向けて押し上げられており、この係合突体４９は箱体３４およびカバーケース３１の上部に形成された案内口３６および開口３１ａを介して突出して枠体４側の係止突体９２に係合した状態に維持されている。
【００３０】
スライダ４６には前後に開口して連通された収容室４７が形成され、収容室４７内に側面視略三角形状のカム体６０が設けられている。カム体６０には左右方向を向く支軸６１が延在されるとともに、左右方向を向く係合突起６２が突設されている。支軸６１は箱体３４の後部内面に設けられた軸受体３９に挿着支持されており、支軸６１を軸心としてカム体６０が回動自在になっている。収容室４７の上下略中間位置には、前後方向に向けてスライド軸５９が設けられており、スライド軸５９の前方部が閉塞板７８の環状突体８２に形成されたネジ杆摺動孔８２ａに対して前後摺動可能に保持されている。
【００３１】
スライド軸５９の後部には係合凹部５９ａが形成され、係合凹部５９ａ内にカム体６０の係合突起６２が係合されている。スライド軸５９には、予め箱体３４の後方の挿通孔３７から挿通されたネジ杆６３が前後方向に向けて挿通され、前方の先端部６３ａがスライド軸５９の作動手段である第二の作動体１５のネジ螺合穴６３ａに螺合され水平部１７に固着されるとともに、後方の大径頭部６３ｂによってスライド軸５９のネジ杆６３からの抜けが防止されている。
【００３２】
そこで、図７（ｂ）に示されるように、手掛け部６を把持しながら把手５が前方に向けて引き出すと、上部軸ボルト２７を介して、スライド軸５９の作動手段である第一の作動体１０が前方に傾動し、第二の作動体１５が前方に向けて引き出される［図６（ｂ）参照］。これにより、長孔３ｂの前方に向けて移動する水平部１７に合わせてスライド軸５９も前方に向けて摺動し、係合凹部５９ａに係合される係合突起６２が前方に移動される。そして、係合突起６２の前方移動によって、徐々にカム体６０が支軸６１回りに回動移動、スプリング５６の付勢力に抗してスライダ４６が下方に押し下げられ、係合突体４９がスライダ収納凹部３５内に収納されるとともに、係止突体９２からの係合が解除され、非ロック状態となって引出し２を前方に向けて引出し可能な状態となる。
【００３３】
そこで、引出し２を枠体から引き出した状態で手掛け部６から手を離間すると、上部筒状弾性体２８および下部筒状弾性体２６の付勢力により、第一の作動体１０および第二の作動体１５が元の位置に復帰されるとともに、それに連動してスプリング５６の付勢力によりスライダ４６を上方に向けて押し戻すことから、係合突体４９が係合可能な位置まで戻される。
【００３４】
その後、手掛け部６を把持しながら把手５を後方に向けて押し込むと、係合突体４９が係止突体９２と当接し、更に押し込むことで係合突体４９の傾斜面９２ａに沿って係合突体４９の傾斜面４９ａが摺接しながら下動し、スプリング５６を圧縮してスライダ４６を押し下げる。係合突体４９が係止突体９２を通り抜けることにより、スプリング５６の付勢力によってスライダ４６が再度押し上げられ、係合突体４９が係止突体９２に係合されロック状態となって引出し不能となる。このとき、水平部１７は長孔３ｂの内壁に沿って前後方向に向けて案内されることから、第二の作動体１５の移動が安定して行われ、把手５の操作によって係合突体４９が確実に作動され、係合突体４９の係止突体９２との係脱が円滑に行われる。
【００３５】
このように、ロック装置３３の作動機構であるラッチ作動機構は、主として正面板３の後方に配置した第一及び第二の作動体１０，１５を組み合わせたもので構成されているので、機構が長寸化、複雑化することがない。また、把手５によりスライド軸５９を作動させる作動手段である第一および第二の作動体１０，１５を板状に形成することで、正面板３の後方の前後方向の厚みをより薄く構成できることから、両作動体１０，１５のために正面板３の後方に幅のある空間を設ける必要が無く、引出し２内に物品等を収納する際にも妨げになることがない。
【００３６】
更に、把手５の左右に延びる手掛け部６の前方操作に対して、偏心した力が加わった場合でも、把手５の左右の後方延長部である上部軸ボルト２７，２７に連結した上向片１１，１１が水平片１４で連結され、且つこの水平片１４が正面板３の後面において左右が傾動自在に軸着されているので（図５参照）、左右の上向片１１，１１は同期的に前方に向けて動くことができ、その左右の上向片１１，１１に軸着された第二の作動体１５も左右において同期的に動くようになり［図６（ｂ）参照］、容易に係合部である係合突体４９がスライド軸５９を介して確実かつ円滑に作動される［図７（ｂ）参照］。
【００３７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、正面板３の長孔３ｂに沿って第二の作動体１５が案内されるので、係合突起４９が確実に作動されることから好ましいが、本発明はこれに限定されるものではなく、長孔３ｂを形成することなく、上部軸ボルト２７および下部軸ネジ２５を後方に延伸することで、第二の作動体１５の前方への移動スペースを確保することできる。
【００３８】
また、上記実施例では、第一の作動体１０の四隅に上部および下部筒状弾性体２８，２６を設けたことで、把手５の非操作時に両弾性体２８，２６の付勢力により第一及び第二の作動体１０が元の位置に円滑に戻る事から好ましいが、本発明はこれに限定されるものではなく、両弾性体２８，２６を設けない構成でも良く、把手５を後方に向けて押し戻す弾性体を他の部分に設けるようにしても良い。
【図面の簡単な説明】
【００３９】
【図１】本発明の実施例における棚板および引出しにラッチ装置が適用された筐体の全体像を示す斜視図である。
【図２】引出しの正面板の中央部を示す背面側から見た分解組立斜視図である。
【図３】第一および第二の作動体と固定板と係合部材の取り付けを示す正面側から見た分解組立斜視図である。
【図４】把手およびカバーケースの取り付けを示す背面側から見た分解組立図である。
【図５】引出しの正面板の中央部を示す一部破断平面図である。
【図６】（ａ）は、図５のＡ−Ａ断面線を示す要部拡大側断面図であり、（ｂ）は、図６（ａ）の把手の操作による第一および第二の作動体の作動状態を示す要部拡大側断面図である。
【図７】（ａ）は、図５のＢ−Ｂ断面線を示す要部拡大側断面図であり、（ｂ）は、図７（ａ）の把手の操作によってラッチ装置のロックの解除を示す要部拡大側断面図である。
【符号の説明】
【００４０】
１                家具等の筐体
２                引出し
３                正面板
３ａ              ブッシュ取付孔
３ｂ              長孔
３ｄ              固定板取付ネジ穴
３ｅ              軸ネジ螺合穴
４                枠体
５                把手
６                手掛け部
７                摺動部
７ａ              ボルト螺合穴
９                軸受ブッシュ
９ａ              摺動孔
９ｂ              係止爪
１０              第一の作動体（スライド軸の作動手段の一部）
１１              上向片
１２              ボルト貫通孔
１３              ネジ貫通孔
１４              水平片
１４ａ            下端部
１５              第二の作動体（スライド軸の作動手段の一部）
１６              左右の側端部
１６ａ            ボルト貫通孔
１７              水平部
１７ａ            ネジ螺合穴
２０              係合部材の固定板
２０ａ            ネジ貫通孔
２０ｃ            ネジ杆挿通孔
２０ｄ            嵌合孔
２１              左右の凹溝
２２              左右の側端片
２２ａ            ボルト貫通孔
２３              固定ネジ
２５              下部軸ネジ（軸部）
２６              下部筒状弾性体
２７              上部軸ボルト（延長部）
２７ａ            先端部
２７ｂ            ボルト頭
２８              上部筒状弾性体
３０              ラッチ装置
３３              ロック装置
４９              係合突体（係合部）
５９              スライド軸
６３              ネジ杆
６３ａ            先端部
６３ｂ            大径頭部
９１              取付板
９２              係止突体（被係合部）
【図１】
2007218050.tif 000003
【図２】
2007218050.tif 000004
【図３】
2007218050.tif 000005
【図４】
2007218050.tif 000006
【図５】
2007218050.tif 000007
【図６】
2007218050.tif 000008
【図７】
2007218050.tif 000009